(57)【要約】      （修正有）【課題】カード用コネクタに直接に装着されるカードに比べて幅が狭く長さが長いカードを保持でき、しかも保持されているこの長いカードを簡単に排出させることができる。【解決手段】別のカードをカード用コネクタへ装着するに際して案内するガイド部材によって案内され、別のカードのコンタクト端子と接触しないようにカード用コネクタに装着されるアダプタ本体１０と、カード２の後端部２ｃをアダプタ本体１０の後端部１０ｈから突出させた状態で、カード２をアダプタ本体１０に保持させる保持部とを備え、この保持部は、アダプタ本体１０に保持されたカード２を排出させるスライダを有するプッシュプッシュ方式の排出機構１１と、アダプタ本体１０の収容部と、係合片１１ｃと、規制片１０ｄとを含む構成にしてある。【選択図】図８
2009259635.tif 000002
【特許請求の範囲】
【請求項１】
カードを保持した状態でカード用コネクタに装着されるカード用アダプタであって、
前記カードと異なる別のカードを前記カード用コネクタへの装着に際して案内するガイド部材によって案内され、前記別のカード用のコンタクト端子と接触しないように前記カード用コネクタに装着されるアダプタ本体と、
前記カードの後端部を前記アダプタ本体の後端部から突出させた状態で、前記カードを前記アダプタ本体に保持させる保持部とを備え、
この保持部は、前記アダプタ本体に保持された前記カードを排出させるプッシュプッシュ方式の排出機構を含むことを特徴とするカード用アダプタ。
【請求項２】
請求項１記載のカード用アダプタにおいて、
前記排出機構が、前記カードが係合する係合部を有するスライダを備え、
前記カードを前記アダプタ本体に保持させた際に、前記保持部は、前記スライダの前記係合部を前記アダプタ本体の前端部から前方に突出させ、前記カードの前端部を前記アダプタ本体の前端部から突出させないように前記カードを保持することを特徴とするカード用アダプタ。
【請求項３】
請求項１または２記載のカード用アダプタにおいて、
前記アダプタ本体は、前記カード用コネクタに設けられる前記別のカード用のコンタクト端子よりも上方に配置されたコンタクト端子に接触可能に前記カードを収容するとともに、前記カードの底面が、前記別のカード用のコンタクト端子の高さ位置よりも高くなるように前記カードを収容する収容部を備えていることを特徴とするカード用アダプタ。
【請求項４】
請求項１〜３のいずれか１項記載のカード用アダプタにおいて、
前記アダプタ本体は、前記カード用コネクタに設けられる前記別のカード用のコンタクト端子を収容する凹部を有することを特徴とするカード用アダプタ。
【請求項５】
請求項１〜４のいずれか１項記載のカード用アダプタにおいて、
前記保持部は、前記カードの側部に形成された凹部と係合する係合片を含むことを特徴とするカード用アダプタ。
【請求項６】
請求項１〜５のいずれか１項記載のカード用アダプタにおいて、
前記保持部は、前記カードの上面の上方向への動きを規制する規制片を含むことを特徴とするカード用アダプタ。
【請求項７】
請求項１記載のカード用アダプタにおいて、
前記アダプタ本体は、このアダプタ本体が前記カード用コネクタに装着された際の前記別のカードの排出機構との干渉を避ける切欠き部を有することを特徴とするカード用アダプタ。
【請求項８】
請求項５記載のカード用アダプタにおいて、
前記係合片を前記スライダに設けたことを特徴とするカード用アダプタ。
【発明の詳細な説明】
【技術分野】
【０００１】
本発明は、カードを保持した状態でカード用コネクタに装着されるカード用アダプタに関する。
【背景技術】
【０００２】
特許文献１には、上下２段でカードの挿抜方向に位置ずれさせて複数のコンタクト端子を配置し、一方のコンタクト端子が片持ち梁状に形成され、他方のコンタクト端子がピン形状に形成されたカード用コネクタが開示されている。この特許文献１に開示されるカード用コネクタには、片持ち梁状のコンタクト端子に接触するカードと、ピン形状のコンタクト端子に接触する別のカードとの複数のカードが選択的に装着可能になっている。
【０００３】
このような特許文献１に開示されるようなカード用コネクタにあっては、カードを装着させる代わりにカードを保持したカード用アダプタを装着させることが従来から行なわれている。すなわち、複数のカードのうちの一方のカードが、他方のカードよりも幅が狭く設定される場合、他方のカードの幅と同等の幅を有し、前述した狭い幅の一方のカードを保持するカード用アダプタを備え、このカード用アダプタと、前述の他方のカードとを選択的装着させることが従来から行なわれている。前述したカード用アダプタとしては、例えば特許文献２に示されるものがある。また、保持されたカードを排出させる排出機構を備えたカード用アダプタとして、例えば特許文献３，４に示されるものがある。
【特許文献１】実開平６−４４０５２号公報
【特許文献２】特開平６−３１８３９０号公報
【特許文献３】実用新案登録第３０８９３１９号公報
【特許文献４】特開２００３−１８７９０４公報
【発明の開示】
【発明が解決しようとする課題】
【０００４】
前述した特許文献２−４に示される従来のカード用アダプタに保持される幅の狭いカードのそれぞれは、カード用コネクタに直接に装着される幅の広いカードに比べて、長さ寸法も短いものであった。しかし昨今では、幅の広いカードに比べて幅は狭く設定されるものの、長さ寸法が幅の広いカードよりも長く設定されたカードを、従来と同様にカード用アダプタに保持させて、カード用コネクタに装着させ、その長いカードに対する信号の送受信を可能にしたいという要望も出て来ている。すなわち従来では、幅の広いカードに比べて、幅は狭く設定されるものの、長さ寸法が長く設定されたカードを保持可能なカード用アダプタについては考慮されることがなかった。
【０００５】
本発明は、前述した従来技術における実状からなされたもので、その目的は、カード用コネクタに直接に装着されるカードに比べて、幅が狭く長さ寸法が長いカードを保持でき、しかも保持されているこの長いカードを簡単に排出させることができるカード用アダプタを提供することにある。
【課題を解決するための手段】
【０００６】
この目的を達成するために、本発明に係るカード用アダプタは、カードを保持した状態でカード用コネクタに装着されるカード用アダプタであって、前記カードと異なる別のカードを前記カード用コネクタへの装着に際して案内するガイド部材によって案内され、前記別のカード用のコンタクト端子と接触しないように前記カード用コネクタに装着されるアダプタ本体と、前記カードの後端部を前記アダプタ本体の後端部から突出させた状態で、前記カードを前記アダプタ本体に保持させる保持部とを備え、この保持部は、前記アダプタ本体に保持された前記カードを排出させるプッシュプッシュ方式の排出機構を含むことを特徴としている。
【０００７】
このように構成した本発明は、保持部によってアダプタ本体にカードを、その後端部がアダプタ本体から突出するようにして保持させることができるとともに、このようにアダプタ本体に保持されているカードの排出時には、アダプタ本体から突出しているカードの後端部を押すだけの操作で、プッシュプッシュ方式の排出機構によってカードを簡単に排出させることができる。
【０００８】
また、本発明に係るカード用アダプタは、前記発明において、前記排出機構が、前記カードが係合する係合部を有するスライダを備え、前記カードを前記アダプタ本体に保持させた際に、前記保持部は、前記スライダの前記係合部を前記アダプタ本体の前端部から前方に突出させ、前記カードの前端部を前記アダプタ本体の前端部から突出させないように前記カードを保持することを特徴としている。
【０００９】
このように構成した本発明は、カード用コネクタの装着位置にカードが位置するようにアダプタ本体を配置した際、スライダの係合部をカード用コネクタのデッドスペースに位置させることができる。カード排出時には、アダプタ本体の後端部から突出するカードの後端部を押すことにより、排出機構のスライダが排出方向に摺動し、このスライダの係合部を介してアダプタ本体からカードを簡単に排出させることができる。これにより、カードをアダプタ本体から容易に抜き取ることができる。
【００１０】
また、本発明に係るカード用アダプタは、前記発明において、前記アダプタ本体は、前記カード用コネクタに設けられる前記別のカード用のコンタクト端子よりも上方に配置されたコンタクト端子に接触可能に前記カードを収容するとともに、前記カードの底面が、前記別のカード用のコンタクト端子の高さ位置よりも高くなるように前記カードを収容する収容部を備えていることを特徴としている。このように構成した本発明は、カードをアダプタ本体の収容部に収容させ、保持させた状態でアダプタ本体をカード用コネクタに装着させた際に、カードが別のカード用のコンタクト端子に接触することがない。これによって、カード、及び別のカード用のコンタクト端子の保護を図ることができる。
【００１１】
また、本発明に係るカード用アダプタは、前記発明において、前記アダプタ本体は、前記カード用コネクタに設けられる前記別のカード用のコンタクト端子を収容する凹部を有することを特徴としている。このように構成した本発明は、カード用コネクタに設けられる別のカードのコンタクト端子に干渉することなくアダプタ本体をカード用コネクタに装着できる。
【００１２】
また、本発明に係るカード用アダプタは、前記発明において、前記保持部は、前記カードの側部に形成された凹部と係合する係合片を含むことを特徴としている。このように構成した本発明は、カードの凹部と係合片との係合によって、カードを水平面内においてガタツキを生じないようにアダプタ本体に保持させることができる。
【００１３】
また、本発明に係るカード用アダプタは、前記発明において、前記保持部は、前記カードの上面の上方向への動きを規制する規制片を含むことを特徴としている。このように構成した本発明は、規制片によってカードを上下方向にガタツキを生じないように、アダプタ本体に保持させることができる。
【００１４】
また、本発明に係るカード用アダプタは、前記発明において、前記アダプタ本体は、このアダプタ本体が前記カード用コネクタに装着された際の前記別のカードの排出機構との干渉を避ける切欠き部を有することを特徴としている。このように構成した本発明は、切欠き部によって、カード用コネクタに設けられる別のカードの排出機構の動作に影響を受けることなく、アダプタ本体をカード用コネクタに保持させることができ、保持部の排出機構を動作させることによって、カードのみをカード用コネクタから排出させることが可能となる。
【００１５】
また、本発明に係るカード用アダプタは、前記発明において、前記係合片を前記スライダに設けたことを特徴としている。このように構成した本発明は、アダプタ本体に挿入されるカードの移動に追従させて、カードの凹部と係合片とを係合させることができ、アダプタ本体にカードを安定して保持させることができる。
【発明の効果】
【００１６】
本発明に係るカード用アダプタは、カードの後端部をアダプタ本体の後端部から突出させた状態で、アダプタ本体に保持させる保持部を備え、この保持部は、アダプタ本体に保持されたカードを排出させる排出機構を含むことから、カード用コネクタに直接に装着されるカードに比べて、幅が狭く長さ寸法が長いカードを保持部によって保持でき、しかも保持されているこの長いカードを排出機構によって簡単に排出させることができる。これによって、カード用コネクタに直接に装着されるカードに比べて長いカードを保持させたいという従来からの要望に応えることができるとともに、アダプタ本体からの長いカードの取り出しが容易となり、優れた利便性を確保できる。
【発明を実施するための最良の形態】
【００１７】
以下，本発明に係るカード用アダプタを実施するための最良の形態を図に基づいて説明する。
【００１８】
［カード用コネクタに使用されるカード］
図１はカード用コネクタに直接に装着される別のカードを示す平面図、図２は本発明に係るカード用アダプタの一実施形態に保持されるカードを示す平面図である。
【００１９】
図１に示される別のカード１は、後述するカード用コネクタ３に直接に装着されるカードであり、例えば後端部１ｂを把持し、前端部１ａからカード用コネクタ３に挿入することによって、このカード用コネクタ３に装着される。このように別のカード１がカード用コネクタ３に装着されることにより、この別のカード１に対する信号の送受信が可能となる。
【００２０】
図２に示すカード２は、後述する本実施形態に係るカード用アダプタＡに保持され、このカード用アダプタＡがカード用コネクタ３に装着されることにより、このカード２に対する信号の送受信が可能となる。このカード２は、前述の別のカード１よりも薄く、幅が狭く、長さ寸法が長く形成されている。一方の側部に凹部２ａを有している。また、このカード２は、例えば後端部２ｃを把持し、前端部２ｂからカード用アダプタＡに挿入することによって、このカード用アダプタＡに保持されるようになっている。
【００２１】
［本実施形態に係るカード用アダプタが装着されるカード用コネクタの構成］
図３は本実施形態に係るカード用アダプタが装着されるカード用コネクタを示す平面図、図４は図３に示すカード用コネクタの要部を示す平面図である。
【００２２】
これらの図３，４に示すように、本実施形態に係るカード用アダプタＡが装着されるカード用コネクタ３は、奥側位置の例えば下段に、図１に示す別のカード１の接触部と接触するピン形状に形成された複数のコンタクト端子５を備え、奥側位置の上段に、すなわちコンタクト端子５の上方位置に、カード用アダプタＡに保持される図２に示すカード２の接触部と接触する片持ち梁形状に形成された複数のコンタクト端子６を備えている。また、カード用コネクタ３は、別のカード１の両側部、及びカード用アダプタＡの両側部を案内する複数のガイド部材３ａを備えている。
【００２３】
さらに、このカード用コネクタは、カード用コネクタ３に装着される別のカード１を排出させる排出機構を備えている。この排出機構は、カード用コネクタ３に装着された別のカード１の前端部１ａの左側部分と係合する係合部７ａを有し回動可能な排出用第１レバー７と、この排出用第１レバー７の回動と連動して回動し、別のカード１の前端部１ａの右側部分と係合する係合部８ａを有する排出用第２レバー８と、排出用第１レバー７と係合して、この排出用第１レバー７を回動させるプッシュレバー９とを備えている。
【００２４】
図４に示す状態は、カード用コネクタ３に別のカード１が装着されているときの、プッシュレバー９、排出用第１レバー７、及び排出用第２レバー８の位置関係を示している。別のカード１の排出時には、プッシュレバー９を一旦手元に引き、続いてこのプッシレバー９を押す操作が行なわれる。このプッシュレバー９の押し操作によって、排出用第１レバー７が図４において反時計回りに回動し、これに連動して排出用第２レバー８が時計回りに回動し、これらの排出用第１，第２レバー７，８の係合部７ａ，８ａが、カード用コネクタ３に装着されている別のカード１の前端部１ａを押す。これによって別のカード１が排出されるようになっている。
【００２５】
このように構成されるカード用コネクタ３は、例えばねじ等の締結具を介して図示しない基板上に配置されるようになっている。基板上の配線にコンタクト端子５，６のそれぞれが、例えば半田接続されるようになっている。
【００２６】
［本実施形態に係るカード用アダプタの構成］
図５は本実施形態に係るカード用アダプタを示す平面図、図６は図５に示す状態から一部を分解して示した平面図、図７は本実施形態に係るカード用アダプタに備えられるアダプタ本体を示す斜視図、図８は本実施形態に係るカード用アダプタに図２に示すカードを保持させた状態を示す平面図である。
【００２７】
本実施形態に係るカード用アダプタＡは、図７等に示すように、別のカード１をカード用コネクタ３への装着に際して案内する前述のガイド部材３ａによって案内され、別のカード１用のコンタクト端子５と接触しないようにカード用コネクタ３に装着されるアダプタ本体１０を備えている。このアダプタ本体１０は、例えば別のカード１と同じ幅寸法、及び同じ長さ寸法を有している。また、図８に示すように、カード２の後端部２ｃをアダプタ本体１０の後端部１０ｈから突出させた状態で、カード２をアダプタ本体１０に保持させる保持部を備えている。この保持部は、アダプタ本体１０に保持されたカード２を排出させる図５，６等に示すプッシュプッシュ方式の排出機構１１を含んでいる。
【００２８】
この排出機構１１は、カード２が係合する係合部１１ａ１を有するスライダ１１ａを備え、図８に示すように、カード２をアダプタ本体１０に保持させた際に、前述の保持部は、スライダ１１ａの係合部１１ａ１をアダプタ本体１０の前端部１０ｉから前方に突出させ、カード２の前端部２ｂをアダプタ本体１０の前端部１０ｉから突出させないようにカード２を保持する。
【００２９】
スライダ１１ａは、図７に示すアダプタ本体１０の収容部１０ｇに摺動自在に配置されている。例えば、このスライダ１１ａにハートカム１１ａ２を設けてあり、スライダ１１ａを覆い、アダプタ本体１０に固定されるカバー部材１１ｂに形成した弾性片１１ｂ１に、ハートカム１１ａに係合してハートカム１１ａとの間で相対的に摺動可能な図示しないピンを設けてある。また、スライダ１１ａは、図示しない弾性部材によって、アダプタ本体１０の挿入口１０ａ方向に、すなわちカード２の排出方向に付勢されている。
【００３０】
前述のアダプタ本体１０は、カード用コネクタ３に設けられる別のカード１用のコンタクト端子５よりも上方に配置されたコンタクト端子６に接触可能にカード２を収容するとともに、カード２の底面が、別のカード１用のコンタクト端子５の高さ位置よりも高くなるようにカード２を収容する収容部１０ｂを備えている。
【００３１】
また、アダプタ本体１０は、図５等に示すように、カード用コネクタ３に設けられる別のカード１用のコンタクト端子５を収容する凹部１０ｃを有している。また、アダプタ本体１０は、前端部１０ｉの両隅部に、このアダプタ本体１０がカード用コネクタ３に装着された際の別のカード１の排出機構との干渉、すなわち排出機構を構成する排出用第１レバー７の係合部７ａ、排出用第２レバー８の係合部８ａとの干渉を避ける切欠き部１０ｅ，１０ｆをそれぞれ有している。
【００３２】
また、前述した保持部は、カード２の側部に形成された凹部２ａと係合する弾性を有する係合片１１ｃを含んでおり、この係合片１１ｃは例えば図６に示すように、スライダ１１ａにインサート成形によって一体に設けられている。
【００３３】
さらに、前述した保持部は、カード２の上面の上方向への動きを規制する規制片１０ｄを含んでおり、この規制片１０ｄは例えば図７等に示すように、アダプタ本体１０に形成してある。
【００３４】
図８に示すようにカード２の後端部２ｃをアダプタ本体１０の後端部１０ｈから突出させた状態でカード２をアダプタ本体１０に保持させる前述した保持部は、前述のように、アダプタ本体１０に設けた排出機構１１と、アダプタ本体１０の収容部１０ｂと、スライダ１１ａに設けられた係合片１１ｃと、アダプタ本体１０に設けた規制片１０ｄとを含んでいる。
【００３５】
［別のカードのカード用コネクタへの装着］
図９はカード用コネクタに図１に示す別のカードを装着した状態を示す平面図である。
【００３６】
この図９に示すように、別のカード１をカード用コネクタ３に装着させるに際し、別のカード１がカード用コネクタ３に挿入されると、この別のカード１はカード用コネクタ３のガイド部材３ａによって案内されて、所定の装着位置に位置決めされ、ロックされる。この別のカード１をカード用コネクタ３に装着させた状態では、別のカード１の接触部がコンタクト端子５に接触し、この別のカード１に対する信号の送受信が可能となる。また、このように別のカード１が装着された状態では、排出用第１レバー７の係合部７ａが別のカード１の前端部１ａの左側部分に係合し、排出用第２レバー８の係合部８ａが別のカード１の前端部１ａの右側部分に係合する。
【００３７】
別のカード１をカード用コネクタ３から排出させる際には、前述したように、プッシュレバー９を一旦手元に引いた後、引き続きこのプッシュレバー５を押し込むことが行なわれる。これにより、プッシュレバー５に係合する排出用第１レバー７の係合部７ａ、排出用第２レバー８の係合部８ａで、別のカード１の前端部１ａが押され、この別のカード１が排出される。したがって、排出された別のカード１の後端部１ｂを把持して、この別のカード１をカード用コネクタ３から抜き取ることができる。
【００３８】
［カードを保持した本実施形態に係るカード用アダプタのカード用コネクタへの装着］
図１０はカードを保持した本実施形態に係るカード用アダプタを、カード用コネクタに装着させた状態を示す図で、カードを所定位置にロックした状態を示す平面図、図１１は本実施形態に係るカード用アダプタからのカードの排出に際して、カードをオーバーストロークさせた状態を示す平面図、図１２は本実施形態に係るカード用アダプタから、すなわちカード用コネクタからカードを排出させた状態を示す平面図である。
【００３９】
カード２をカード用アダプタＡに保持させるに際し、アダプタ本体１０の挿入口１０ａから収容部１０ｂに向かってカード２を挿入させ、このカード２の後端部２ｃを押すと、カード２の前端部２ｂがスライダ１１ａの係合部１１ａ１に係合し、スライダ１１ａが図示しない弾性部材の弾性力に抗して摺動する。これにより、スライダ１１ａのハートカム１１ａ２上を、弾性片１１ｂ１の図示しないピンが相対的に摺動する。また、カード２の上面の上方向への動きがアダプタ本体１０の規制片１０ｄによって規制されながら、カード２の側部に設けた凹部２ａにスライダ１１ａに設けた係合片１１ｃが係合する。この状態からカード２がさらに押し込まれると、弾性片１１ｂ１の図示しないピンがハートカム１１ａのロック部に係合し、カード２が収容部１０ｂに収容されて所定の装着位置にロックされ、前述した図８に示す状態となる。この状態にあっては、前述したように、カード２の後端部２ｃがアダプタ本体１０の後端部１０ｈから突出した状態に保たれ、カード２の前端部２ｂがアダプタ本体１０の前端部１０ｉから突出しないように保たれ、スライダ１１ａの係合部１１ａ１がわずかにアダプタ本体１０の前端部１０ｉから突出した状態に保たれる。
【００４０】
カード用アダプタＡのカード用コネクタ３への装着に際しては、図８に示すように、カード２を保持したカード用アダプタＡがカード用コネクタ３に挿入される。このときカード用アダプタＡは、別のカード１の挿入の場合と同様にカード用コネクタ３のガイド部材３ａによって案内され、図１０に示すように、所定の装着位置に位置決めされ、ロックされる。この状態にあっては、カード２の接触部がコンタクト端子６に接触し、このカード２に対する信号の送受信が可能となる。なお、前述した図３，９等では図示省略してあるが、図１０に示すように、カード用コネクタ３には、カード用アダプタＡに保持されたカード２の上面を覆うカバー部材１２を設けてある。
【００４１】
本実施形態に係るカード用アダプタＡは、前述した別のカード１に代えてカード用コネクタ３に装着させた際に、例えばその後にはカード用コネクタ３から抜き取ることができないようにロックされ、カード用コネクタ３と一体構造物となるように考慮されたものである。そのために、前述したようにアダプタ本体１０の前端部１０ｉの両隅部付近に、排出用第１レバー７の係合部７ａ、及び排出用第２レバー８の係合部８ａとの干渉を避ける切欠き部１０ｅ，１０ｆを設けてある。したがって図１０に示すように、カード用アダプタＡがカード用コネクタ３に挿入されて所定の装着位置に位置決めされ、ロックされた状態では、プッシュレバー９の押し引き操作によって排出用第１レバー７、排出用第２レバー８が回動しても、カード用アダプタＡのアダプタ本体１０は、排出されることなくカード用コネクタ３に保持されるようになっている。
【００４２】
カード２の排出に際しては、図１０の矢印１３で示すように、カード２の後端部２ｃを押すことが行なわれ、これにより図１１に示すようにカード２がオーバーストロークして、このカード２に係合する係合部１１ａ１を介してスライダ１１ａがさらに前方にわずかながら摺動する。これに伴ってスライダ１１ａのハートカム１１ａ２が移動し、弾性片１１ｂ１に設けた図示しないピンがハートカム１１ａ２のロック部から離脱し、カード２のロックが解除される。したがって、カード２に加えていた押圧力を解くと、スライダ１１ａを付勢する図示しない弾性部材の弾性力によりスライダ１１ａがアダプタ本体１０の挿入口１０ａ方向に摺動し、このスライダ１１ａの係合部１１ａ１に押されて図１２に示すようにカード２のみが排出される。排出されたこのカード２の後端部２ｃを把持することにより、カード２をアダプタ本体１０から、すなわちカード用コネクタ３から容易に抜き取ることができる。
【００４３】
［本実施形態に係るカード用アダプタの効果］
このように構成した本実施形態に係るカード用アダプタＡは、排出機構１１、アダプタ本体１０の収容部１０ｂ、係合片１１ｃ、規制片１０ｄを含む保持部によって、アダプタ本体１０にカード２を、その後端部２ｃがアダプタ本体１０から突出するように保持できる。また、アダプタ本体１０に保持されているカード２の排出時には、アダプタ本体１０から突出しているカード２の後端部２ｃを押すだけの操作で、排出機構１１によってカード２を簡単に排出させることができる。したがって、カード用コネクタ３に直接に装着される図１に示す別のカード１に比べて図２に示す長いカード２を保持させたいという要望に応えることができるとともに、アダプタ本体１０からの長いカード２の取り出しが容易となり、優れた利便性を確保できる。
【００４４】
また、カード用コネクタ３の装着位置にカード２が位置するようにアダプタ本体１０を配置した際に、スライダ１１ａの係合部１１ａ１をカード用コネクタ３のデッドスペースに位置させることができ、カード用コネクタ３のデッドスペースを有効に活用できるとともに、スライダ１１ａの摺動動作を円滑に行なわせることができる。
【００４５】
また、アダプタ本体１０は、カード用コネクタ３に設けられる別のカード１用のコンタクト端子５よりも上方に配置されたコンタクト端子６に接触可能にカード２を収容するとともに、カード２の底面が、別のカード１用のコンタクト端子５の高さ位置よりも高くなるようにカード２を収容する収容部１０ｂを備えていることから、カード２をアダプタ本体１０の収容部１０ｂに収容させ、保持させた状態でアダプタ本体１０をカード用コネクタ３に装着させた際に、カード２が別のカード１用のコンタクト端子５に接触することがない。これによって、カード２、及び別のカード１用のコンタクト端子５の保護を図ることができる。
【００４６】
また、アダプタ本体１０は、カード用コネクタ３に設けられる別のカード１用のコンタクト端子５を収容する凹部１０ｃを有することから、カード用コネクタ３に設けられる別のカード１用のコンタクト端子５に干渉することなくアダプタ本体１０をカード用コネクタ３に装着できる。
【００４７】
また、カード２の側部に形成された凹部２ａと係合する係合片１１ｃを設けたことから、カード２を水平面内においてガタツキを生じないようにアダプタ本体１０に保持させることができる。また、前述の係合片１１ｃをスライダ１１ａに設けたことから、アダプタ本体１０に挿入されるカード２の移動に追従させて、カード２の凹部２ａと係合片１１ｃとを係合させることができ、アダプタ本体１０にカード２を安定して保持させることができる。
【００４８】
また、カード２の上面の上方向への動きを規制する規制片１０ｄを設けたことから、カード２を上下方向にガタツキを生じないように、アダプタ本体１０に保持させることができる。また、規制片１０ｄをアダプタ本体１０に設けてあることから、アダプタ本体１０の製作時に同時に規制片１０ｄを形成でき、この規制片１０ｄを簡単に設けることができる。
【００４９】
また、アダプタ本体１０が、カード用コネクタ３に装着された際の別のカード１の排出機構、すなわち排出用第１レバー７、排出用第２レバー８との干渉を避ける切欠き部１０ｅ，１０ｆを有することから、これらの切欠き部１０ｅ，１０ｆによって、カード用コネクタ３に設けられる別のカード１の排出機構の動作に影響を受けることなく、アダプタ本体１０をカード用コネクタ３に保持させることができ、保持部の排出機構１１、すなわちスライダ１１ａを摺動操作させることによって、カード２のみをカード用コネクタ３から排出させることができる。
【００５０】
なお、前述とは異なり、カード用アダプタＡのカード用コネクタ３からの排出を可能にしたい場合には、アダプタ本体１０に前述した切欠き部１０ｅ，１０ｆを設けない構成にすればよい。このように構成すれば、前述した図４に示すプッシュレバー９の押し操作によって、排出用第１レバー７、排出用第２レバー８が回動し、これらの排出用第１，第２レバー７，８の係合部７ａ，８ａによってカード用コネクタ３に装着されたカード用アダプタＡの前端部１０ｉが押され、このカード用アダプタＡを、例えばカード２を保持させた状態でカード用コネクタ３から排出させることができる。
【図面の簡単な説明】
【００５１】
【図１】カード用コネクタに直接に装着される別のカードを示す平面図である。
【図２】本発明に係るカード用アダプタの一実施形態に保持されるカードを示す平面図である。
【図３】本実施形態に係るカード用アダプタが装着されるカード用コネクタを示す平面図である。
【図４】図３に示すカード用コネクタの要部を示す平面図である。
【図５】本実施形態に係るカード用アダプタを示す平面図である。
【図６】図５に示す状態から一部を分解して示した平面図である。
【図７】本実施形態に係るカード用アダプタに備えられるアダプタ本体を示す斜視図である。
【図８】本実施形態に係るカード用アダプタに図２に示すカードを保持させた状態を示す平面図である。
【図９】カード用コネクタに図１に示す別のカードを装着した状態を示す平面図である。
【図１０】カードを保持した本実施形態に係るカード用アダプタを、カード用コネクタに装着させた状態を示す図で、カードを所定位置にロックした状態を示す平面図である。
【図１１】本実施形態に係るカード用アダプタからのカードの排出に際して、カードをオーバーストロークさせた状態を示す平面図である。
【図１２】本実施形態に係るカード用アダプタから、すなわちカード用コネクタからカードを排出させた状態を示す平面図である。
【符号の説明】
【００５２】
２    カード
２ａ  凹部
２ｂ  前端部
２ｃ  後端部
３    カード用コネクタ
３ａ  ガイド部材
５    コンタクト端子
６    コンタクト端子
７    排出用第１レバー
７ａ  係合部
８    排出用第２レバー
８ａ  係合部
１０    アダプタ本体
１０ｂ  収容部（保持部）
１０ｃ  凹部
１０ｄ  規制片（保持部）
１０ｅ  切欠き部
１０ｆ  切欠き部
１０ｈ  後端部
１０ｉ  前端部
１１    排出機構（保持部）
１１ａ  スライダ
１１ａ１  係合部
１１ａ２  ハートカム
１１ｂ１  弾性片
１１ｃ  係合片
Ａ      カード用アダプタ
【図１】
2009259635.tif 000003
【図２】
2009259635.tif 000004
【図３】
2009259635.tif 000005
【図４】
2009259635.tif 000006
【図５】
2009259635.tif 000007
【図６】
2009259635.tif 000008
【図７】
2009259635.tif 000009
【図８】
2009259635.tif 000010
【図９】
2009259635.tif 000011
【図１０】
2009259635.tif 000012
【図１１】
2009259635.tif 000013
【図１２】
2009259635.tif 000014